(57)【特許請求の範囲】
【請求項１】
陳列室と、該陳列室を冷却する冷却器と、下部に構成された機械室と、該機械室内に配置され、前記冷却器と冷却装置を構成する凝縮器と、前記機械室内に空気を流通させる送風機と、前記機械室内に配置され、前記冷却器からのドレン水を受容して蒸発処理するドレン水蒸発装置とを備えたショーケースにおいて、
前記凝縮器は前記ドレン水蒸発装置の風上側に配置されており、
前記ドレン水蒸発装置は、前記冷却器から排出されたドレン水を受容する第１蒸発皿と、該第１蒸発皿から溢出したドレン水を受容する第２蒸発皿と、該第２蒸発皿の下方に位置して前記機械室内に抜き差し自在に取り付けられたドレン水タンクと、前記第２蒸発皿内、又は、前記第１蒸発皿内及び前記第２蒸発皿内に設けられ、ドレン水が浸透して当該ドレン水の蒸散を促進する蒸発板とを有し、
前記第２蒸発皿を、前記機械室内の空気流通方向に対して前記第１蒸発皿の風下側に設け、且つ、前記第１蒸発皿に対して空気流通方向と垂直な方向に所定距離オフセットさせて配置し、
前記第１蒸発皿に対して前記第２蒸発皿をオフセットさせた方向とは反対側となる位置の当該第２蒸発皿には、該第２蒸発皿内のドレン水を前記ドレン水タンクに排出する排出栓を設けたことを特徴とするショーケース。
【請求項２】
前記第２蒸発皿は、その一部が前記機械室内の空気流通方向において前記第１蒸発皿の下流側に重複するようにオフセットされると共に、
前記第１蒸発皿と前記第２蒸発皿を合わせた幅寸法は、前記凝縮器の幅寸法より大きいことを特徴とする請求項１に記載のショーケース。
【請求項３】
前記機械室内に配置され、前記冷却装置を構成する圧縮機を備え、
該圧縮機を、前記機械室内の空気流通方向に対して前記第２蒸発皿の風上側であって、前記第１蒸発皿の前記第２蒸発皿をオフセットさせた方向の位置に設けたことを特徴とする請求項１又は請求項２に記載のショーケース。
【請求項４】
前記第１蒸発皿に受容しきれなくなったドレン水を前記第２蒸発皿に溢出させる第１オーバーフローパイプを備え、
前記第２蒸発皿をオフセットさせた方向となる側の位置で、前記第１オーバーフローパイプにより前記第１蒸発皿と前記第２蒸発皿とを接続したことを特徴とする請求項１乃至請求項３のうちの何れかに記載のショーケース。
【請求項５】
前記第２蒸発皿は、当該第２蒸発皿の所定の水位にて上端が開口し、下端が前記ドレン水タンク上にて開口する第２オーバーフローパイプを備えていることを特徴とする請求項１乃至請求項４のうちの何れかに記載のショーケース。
【請求項６】
前記排水栓の排水口は、前記ドレン水タンクの把手側に形成された開口上方にて開口していることを特徴とする請求項１乃至請求項５のうちの何れかに記載のショーケース。
【発明の詳細な説明】
【技術分野】
【０００１】
本発明は、機械室内に設置され、冷却器からのドレン水を受容して蒸発処理する冷却装置のドレン水蒸発装置を備えたショーケースに関するものである。
【背景技術】
【０００２】
従来よりこの種の冷却装置のドレン水蒸発装置は、冷蔵ショーケースなどの本体下部に形成された機械室内に金属製の蒸発皿を設け、冷却器からのドレン水をこの蒸発皿にて受容していた。そして、この蒸発皿内に配設される電気ヒータにて、蒸発皿内のドレン水を強制的に加熱処理していた。
【０００３】
これ以外にも、ドレン水を受容する蒸発皿と、この蒸発皿内に設置される蒸発部材により冷却装置のドレン水蒸発装置を構成したものがある。この蒸発部材は、帯状の親水性多孔板を蛇行状に折曲することにより構成されており、蒸発皿内の温度の高くなったドレン水は、ドレン水表面から蒸発すると共に、蒸発部材の下部から吸い上げられ、蒸発部材の表面から蒸発していた。
【０００４】
しかしながら、開口面積が大きいショーケースなどでは、特に夏場などにおいて湿度を多く含む外気がショーケース内に侵入するため、より多くのドレン水が発生し、上記各従来技術では、蒸発処理能力が不足するという問題があった。そのため、ドレン受け皿に到達し、蒸発しきれなかったドレン水を外部に廃棄するメンテナンス作業を行う必要がある。
【０００５】
そこで、例えば、特許文献１に設けられたドレン水蒸発装置では、機械室内に第１の蒸発装置と、第２の蒸発装置と、第３の蒸発装置とを設け、第１の蒸発装置にて受容しきれなくなったドレン水をオーバーフローパイプによって第２の蒸発装置に送り、更に、当該第２の蒸発装置にて受容しきれなくなったドレン水をオーバーフローパイプによって第３の蒸発装置に送出可能とする。当該第３の蒸発装置は、機械室内から引き出した外部にドレン水を廃棄可能とされている。
【先行技術文献】
【特許文献】
【０００６】
【特許文献１】特開２０１０−１１２６７２号公報
【発明の概要】
【発明が解決しようとする課題】
【０００７】
しかしながら、上述した如き従来のドレン水蒸発装置の構成では、第２の蒸発装置から第３の蒸発装置へはオーバーフローパイプからしかドレン水が溢出しない構成とされていた。そのため、ドレン水が多くなる夏場等では、第２の蒸発装置内のドレン水を前もって廃棄したい場合であっても、第３の蒸発装置に溢出してからでないと廃棄できないという問題があった。
【０００８】
そのため、ドレン水の廃棄作業は、第２の蒸発装置内にドレン水が多く受容されている場合であっても、第３の蒸発装置にドレン水が受容されてからでないと行うことができず、この状態が放置されると、第３の蒸発装置からドレン水が設置床面等に溢出してしまう問題があった。
【０００９】
本発明は、従来の技術的課題を解決するためになされたものであり、機械室内に固定された蒸発皿内のドレン水を任意に抜き差し自在に設置された蒸発皿に廃棄可能とするドレン水蒸発装置を備えたショーケースを提供する。
【課題を解決するための手段】
【００１０】
上記課題を解決するために、本発明のショーケースは、陳列室と、この陳列室を冷却する冷却器と、下部に構成された機械室と、この機械室内に配置され、冷却器と冷却装置を構成する凝縮器と、機械室内に空気を流通させる送風機と、機械室内に配置され、冷却器からのドレン水を受容して蒸発処理するドレン水蒸発装置とを備えたものであって、凝縮器はドレン水蒸発装置の風上側に配置されており、ドレン水蒸発装置は、冷却器から排出されたドレン水を受容する第１蒸発皿と、この第１蒸発皿から溢出したドレン水を受容する第２蒸発皿と、この第２蒸発皿の下方に位置して機械室内に抜き差し自在に取り付けられたドレン水タンクと、第２蒸発皿内、又は、第１蒸発皿内及び第２蒸発皿内に設けられ、ドレン水が浸透して当該ドレン水の蒸散を促進する蒸発板とを有し、第２蒸発皿を、機械室内の空気流通方向に対して第１蒸発皿の風下側に設け、且つ、第１蒸発皿に対して空気流通方向と垂直な方向に所定距離オフセットさせて配置し、第１蒸発皿に対して第２蒸発皿をオフセットさせた方向とは反対側となる位置の当該第２蒸発皿には、この第２蒸発皿内のドレン水をドレン水タンクに排出する排出栓を設けたことを特徴とする。
【００１１】
請求項２の発明は、上記発明において、第２蒸発皿は、その一部が機械室内の空気流通方向において第１蒸発皿の下流側に重複するようにオフセットされると共に、第１蒸発皿と第２蒸発皿を合わせた幅寸法は、凝縮器の幅寸法より大きいことを特徴とする。
【００１２】
請求項３の発明は、上記各発明において、機械室内に配置され、冷却装置を構成する圧縮機を備え、この圧縮機を、機械室内の空気流通方向に対して第２蒸発皿の風上側であって、第１蒸発皿の第２蒸発皿をオフセットさせた方向の位置に設けたことを特徴とする。
【００１３】
請求項４の発明は、上記各発明において、第１蒸発皿に受容しきれなくなったドレン水を第２蒸発皿に溢出させる第１オーバーフローパイプを備え、第２蒸発皿をオフセットさせた方向となる側の位置で、第１オーバーフローパイプにより第１蒸発皿と第２蒸発皿とを接続したことを特徴とする。
【００１４】
請求項５の発明は、上記各発明において、第２蒸発皿は、当該第２蒸発皿の所定の水位にて上端が開口し、下端がドレン水タンク上にて開口する第２オーバーフローパイプを備えていることを特徴とする。
【００１５】
請求項６の発明は、上記各発明において、排水栓の排水口は、ドレン水タンクの把手側に形成された開口上方にて開口していることを特徴とする。
【発明の効果】
【００１６】
本発明のショーケースによれば、陳列室と、この陳列室を冷却する冷却器と、下部に構成された機械室と、この機械室内に配置され、冷却器と冷却装置を構成する凝縮器と、機械室内に空気を流通させる送風機と、機械室内に配置され、冷却器からのドレン水を受容して蒸発処理するドレン水蒸発装置とを備えたものであって、凝縮器はドレン水蒸発装置の風上側に配置されており、ドレン水蒸発装置は、冷却器から排出されたドレン水を受容する第１蒸発皿と、この第１蒸発皿から溢出したドレン水を受容する第２蒸発皿と、この第２蒸発皿の下方に位置して機械室内に抜き差し自在に取り付けられたドレン水タンクと、第２蒸発皿内、又は、第１蒸発皿内及び第２蒸発皿内に設けられ、ドレン水が浸透して当該ドレン水の蒸散を促進する蒸発板とを有し、第２蒸発皿を、機械室内の空気流通方向に対して第１蒸発皿の風下側に設け、且つ、第１蒸発皿に対して空気流通方向と垂直な方向に所定距離オフセットさせて配置し、第１蒸発皿に対して第２蒸発皿をオフセットさせた方向とは反対側となる位置の当該第２蒸発皿には、この第２蒸発皿内のドレン水をドレン水タンクに排出する排出栓を設けたことにより、任意のタイミングで排水栓を開放することで蒸発皿内に受容されたドレン水を機械室内に抜き差し自在に取り付けられたドレン水タンクに排出することができる。
また、冷却器からのドレン水は一旦第１蒸発皿に受容された後、第２蒸発皿に溢出することにより、第２蒸発皿の前段に第１蒸発皿が設けられているため、当該第１蒸発皿でもドレン水を蒸発処理することができる。これにより、ドレン水の蒸散処理能力を高めることができ、ドレン水の廃棄処理の回数を低減させることができる。
また、第２蒸発皿内、又は、第２蒸発皿内及び第１蒸発皿内には、ドレン水が浸透して当該ドレン水の蒸散を促進する蒸発板が設けられているので、更にドレン水の蒸散を促進させることができ、処理能力の向上を図ることができる。
【００１７】
請求項２の発明によれば、上記発明に加えて、第２蒸発皿は、その一部が機械室内の空気流通方向において第１蒸発皿の下流側に重複するようにオフセットされると共に、第１蒸発皿と第２蒸発皿を合わせた幅寸法は、凝縮器の幅寸法より大きいことにより、凝縮器の排熱により第１蒸発皿と第２蒸発皿のドレン水の蒸発処理を促進することができる。
【００１８】
請求項３の発明によれば、上記各発明に加えて、機械室内に配置され、冷却装置を構成する圧縮機を備え、この圧縮機を、機械室内の空気流通方向に対して第２蒸発皿の風上側であって、第１蒸発皿の第２蒸発皿をオフセットさせた方向の位置に設けたことにより、圧縮機からの排熱により第２蒸発皿のドレン水の蒸発処理を促進することができる。
【００１９】
請求項４の発明によれば、上記各発明に加えて、第１蒸発皿に受容しきれなくなったドレン水を第２蒸発皿に溢出させる第１オーバーフローパイプを備え、第２蒸発皿をオフセットさせた方向となる側の位置で、第１オーバーフローパイプにより第１蒸発皿と第２蒸発皿とを接続したことにより、第１オーバーフローパイプを設けた位置でもドレン水の蒸発処理を行うことができる。
【００２０】
請求項５の発明によれば、上記各発明に加え、第２蒸発皿は、当該第２蒸発皿の所定の水位にて上端が開口し、下端がドレン水タンク上にて開口する第２オーバーフローパイプを備えていることにより、オーバーフローパイプにて蒸発皿内のドレン水をドレン水タンクに溢出させることができる。これにより、フェールセーフが実現される。
【００２１】
請求項６の発明によれば、上記各発明に加え、排水栓の排水口は、ドレン水タンクの把手側に形成された開口上方にて開口していることにより、ドレン水タンク内にドレン水が受容された状態で、把手を持って機械室内から引き出し、当該把手を上側とした略垂直状態としても、受容されたドレン水をこぼすことなく廃棄場所まで運ぶことができる。
【図面の簡単な説明】
【００２２】
【図１】本発明を適用した一実施例のショーケースの（他面側からみた）正面図である。
【図２】図１を側板とは反対側から見た縦断側面図である。
【図３】ショーケースの一部透視平面図である。
【図４】機械室内の（他面側からみた）正面図である。
【図５】図４を側板とは反対側から見た側面図である。
【図６】機械室内の平面図である。
【図７】ドレン水蒸発装置の部分拡大図である。
【図８】ドレン水蒸発装置の部分拡大図である。
【図９】制御装置のブロック図である。
【発明を実施するための形態】
【００２３】
以下、図面に基づき本発明のショーケースの実施形態について詳述する。図１は本発明を適用した一実施例のショーケース１の（他面側からみた）正面図、図２は図１を側板９とは反対側から見た縦断側面図、図３はショーケース１の一部透視平面図をそれぞれ示している。
【００２４】
実施例のショーケース１は、スーパーマーケットやコンビニエンスストアなどの店舗に設置されて飲料や食品を冷却しながら陳列販売するためのショーケースであり、全体として上面が開口する断熱壁２とその上方に設けられた天壁３との間に一面、当該一面に対向する他面（図１に面する面）及び一側面（図１では向かって左側面）の開口４、６、７にて三面が開口した陳列室８が構成されている。断熱壁２は天壁３よりも外側に張り出しており、また、側面開口７の隅角部は湾曲形状とされ、陳列室８の他側面（図１では向かって右側面）は側板９にて閉塞されている。
【００２５】
陳列室８の中央部には、側板９から一側の側面開口７の手前（側面開口７側の陳列室８の背面となる位置）間での範囲で内部中空のダクト部材１１が上下に渡って構成されている。このダクト部材１１は一面開口４側の陳列室８の背面となる背面板１２と、他面開口６側の陳列室８の背面となる背面板１３と、側面開口７側の陳列室８の背面となる背面板１４とにより構成されている。
【００２６】
また、陳列室８の底面には断熱壁２の底面２Ａ上方に間隔を存して陳列棚１６、１７、１８が着脱自在に取り付けられている。なお、断熱壁２の底面２Ａ上方に設けられる陳列棚１６、１７、１８は通常、デッキパンと称される。陳列棚１６は一面開口４側の陳列室８に、陳列棚１７は他面開口６側の陳列室８に、陳列棚１８は側面開口７側の陳列室８にそれぞれ対応している。そして、前記ダクト部材１１は、この陳列棚１６乃至１８から天壁３までに至る寸法で構成されている。
【００２７】
そして、この陳列棚１６乃至１８と断熱壁２の底面２Ａとの間から前記ダクト部材１１内及び天壁３内に連続した冷気ダクト１９が構成されており、この冷気ダクト１９は陳列室８の一面開口４、他面開口６及び側面開口７の上縁及び下縁にそれぞれ開口形成された一面の冷気吐出口３２、他面の冷気吐出口３３、側面の冷気吐出口３４及び一面の冷気吸込口３６、他面の冷気吸込口３７、側面の冷気吸込口３８に連通している。
【００２８】
また、ダクト部材１１の背面板１２及び１３、１４の両側部には上下に渡って、透明板材（ガラス或いは硬質樹脂）から構成された陳列棚４３・・・が複数段架設されている。この場合、各段の陳列棚４３は一面開口４側の陳列室８から側面開口７側の陳列室８を経て他面開口６側の陳列室８側に渡って設けられる。
【００２９】
そして、陳列室８下方の断熱壁２の底面２Ａ上の冷気ダクト１９内に冷却装置の冷媒回路を構成する冷却器４４が設置される。本実施例では、当該冷却器４４は、それぞれ冷気吸込口３６、３７に略平行に延在して配設されると共に、側面開口７側の端部は、冷気吸込口３８が形成される断熱壁２側端付近にまで延在している。そして、それぞれの冷却器４４と冷気吸込口３６、３７との間には、図示しない送風機が長手方向に渡って複数台設置されている。
【００３０】
一方、断熱壁２の下方には、四方が一面、他面、一側面のそれぞれに着脱自在に取り付けられるパネル２０、２１、２２及び他側面側に設けられる側板９下部によって区画される機械室１０が形成されている。パネル２０は一面開口４側と同じ側に、パネル２１は他面開口６側と同じ側に、パネル２２は側面開口７側と同じ側にそれぞれ対応している。
【００３１】
次に、図４乃至図６を参照してショーケース１下部に構成された機械室１０内について説明する。図４は機械室１０内の（他面側からみた）正面図、図５は図４を側板とは反対側から見た側面図、図６は機械室１０内の平面図をそれぞれ示している。
【００３２】
機械室１０の底面は、ユニットベース２３により構成されており、当該ユニットベース２３は、四隅に設けられる脚部２４・・によって、ユニットベース２３と設置床面との間には、四方が開放された排気通路が形成されている。
【００３３】
ユニットベース２３上（機械室１０内）には、前記冷却器４４と共に冷却装置の冷媒回路を構成する圧縮機２７や凝縮器２５、凝縮器用送風機２６、本願発明に係る冷却装置のドレン水蒸発装置２８などが設置されている。
【００３４】
そして、本実施例では、陳列室８の一面開口側と同じ側（即ち、機械室１０の一面）に設けられているパネル（一面側パネル）２０には、凝縮器用送風機２６の運転により外気（機械室１０外の空気）を機械室１０内に吸引するための複数の吸気口２０Ａが形成されている。また、当該パネル２０が設けられる機械室１０の一面と対向する機械室１０の他面に設けられるパネル（他面側パネル）２１には、機械室１０内の排気を外部に排出するための排気口２１Ａが複数形成されている。
【００３５】
これにより、機械室１０内は、吸気口２０Ａが設けられる一面側パネル２０側が空気の上流側となり、排気口２１Ａが設けられる他面側パネル２１側が空気の下流側となる。そのため、機械室１０の空気上流側に発熱機器である圧縮機２７や凝縮器２５を配設し、その空気下流側にその排熱を利用するドレン水蒸発装置２８を配設する。従って、凝縮器２５はドレン水蒸発装置２８の風上側に位置することになる。
【００３６】
次に、機械室１０内に設置されたドレン水蒸発装置２８について、上記各図に加え、図７及び図８の部分拡大図を参照して詳述する。本実施例において、ドレン水蒸発装置２８は、補助蒸発皿（第１蒸発皿）２９と、蒸発皿（第２蒸発皿）３０と、ドレン水タンク３１とを備えている。
【００３７】
補助蒸発皿２９は、これら蒸発皿の内、最も高い位置に配設されており、冷却器４４から流下したドレン水を一旦受容する。当該補助蒸発皿２９は、所定の深さ寸法を有しており、当該補助蒸発皿２９内には、受容されたドレン水の蒸散を促進する複数の蒸発板３９が設けられている。この補助蒸発皿２９の上部側面には、当該補助蒸発皿２９にて処理しきれいないドレン水を蒸発皿３０に溢出させるオーバーフローパイプ（第１オーバーフローパイプ）４０が接続されている。
【００３８】
蒸発皿３０は、補助蒸発皿２９よりも低い位置であって、ドレン水タンク３１よりも高い位置に配設されており、これら蒸発皿のうち、主となる蒸発皿を構成する。蒸発皿３０は、所定の深さを有する矩形状を呈しており、その底面には、当該蒸発皿３０内に受容されたドレン水を加熱する加熱装置としての電気ヒータ４５が配設されている。当該電気ヒータ４５の通電制御は、詳細は後述する制御装置Ｃにより行う。また、当該蒸発皿３０内には、受容されたドレン水の蒸散を促進する複数の蒸発板４１が設けられている。更に、蒸発皿３０は、図６に示されるように、機械室１０内の空気流通方向に対して補助蒸発皿２９の風下側に設けられており、且つ、補助蒸発皿２９に対して空気流通方向と垂直な方向に所定距離オフセットして配置されている。また、この場合、蒸発皿３０は図６に示されるように、その一部が機械室１０内の空気流通方向において補助蒸発皿２９の下流側に重複するようにオフセットされる。そして、補助蒸発皿２９と蒸発皿３０を合わせた幅寸法は、図６から明らかな如く凝縮器２５の幅寸法より大きくなる。また、圧縮機２７は図６に示されるように機械室１０内の空気流通方向に対して蒸発皿３０の風上側であって、補助蒸発皿２９の側方（蒸発皿３０をオフセットさせた方向）に位置している。更に、補助蒸発皿２９と蒸発皿３０とは、補助蒸発皿２９の蒸発皿３０をオフセットさせた方向となる側の位置でオーバーフローパイプ４０により接続される。
【００３９】
これら蒸発板３９、４１は、ドレン水が浸透していって、その表面から拡散しやすくする材料、本実施例では、一例としてユニベックス（商品名）を使用している。これは、ポリエステル繊維等の不織布を基材とし、この基材に微粒子のフェノールを熱硬化させて固着剤とし、更に親水性を付与してアルコール系の溶剤に浸した後、乾燥させて形成したものである。
【００４０】
そして、この蒸発皿３０の底部側面（図６に示されるように、補助蒸発皿２９に対して蒸発皿３０をオフセットさせた方向とは反対側となる位置）には、当該蒸発皿３０内に受容されたドレン水を当該蒸発皿３０よりも低い位置に設けられたドレン水タンク３１に排出する排水栓４６が設けられている。当該排水栓４６の排水口４６Ａは、ドレン水タンク３１上、本実施例では、ドレン水タンク３１の把手側に形成される開口３１Ａ上方にて開口する。本実施例において当該排水栓４６は、手動により開閉可能とされるものを採用する。
【００４１】
また、蒸発皿３０の底面には、当該蒸発皿３０にて処理しきれないドレン水をドレン水タンク３１に溢出させるオーバーフローパイプ（第２オーバーフローパイプ）４７が接続されている。本実施例において、当該オーバーフローパイプ４７は、上端４７Ａが所定の高水位ＨＷＬよりも高い位置にて開口し、下端４７Ｂがドレン水タンク３１上、本実施例では、ドレン水タンク３１の把手側に形成される図示しない開口上方にて開口する。
【００４２】
更に、当該蒸発皿３０には、当該蒸発皿３０内に貯留されたドレン水が上記所定の高水位ＨＷＬよりも低い所定の低水位ＬＷＬであるか否かを検出する低水位センサ（低水位検出手段）４８及び所定の高水位ＨＷＬであるか否かを検出する高水位センサ４９（高水位検出手段）が設けられている。何れもセンサボックス５０内に配設されていると共に、制御装置Ｃに接続されている。
【００４３】
ドレン水タンク３１は、補助蒸発皿２９及び蒸発皿３０よりの低い位置に設けられるものであり、機械室１０の一面側から他面側に延在してレール部材４２に摺動自在に保持される。当該蒸発皿３１は、レール部材４２から抜き差し自在とされており、本実施例では、機械室１０の他面側に設けられた把手３１Ｂによって蒸発皿３１Ａを引き出して別途ドレン水を外部に廃棄可能とされている。
【００４４】
本実施例では、当該ドレン水タンク３１は、把手３１Ｂ側のみに上記各開口３１Ａが形成され、その他の上面が閉塞されたタンク状を呈している。そのため、ドレン水タンク３１内にドレン水が受容された状態で、把手３１Ｂを持って機械室１０内から引き出し、当該把手３１Ｂを上側とした略垂直状態としても、受容されたドレン水をこぼすことなく廃棄場所まで運ぶことが可能とされる。
【００４５】
次に、図９を参照して上記制御装置Ｃについて説明する。制御装置Ｃは、汎用のマイクロコンピュータにより構成されており、当該入力側には、少なくとも上述した如き低水位センサ４８と、高水位センサ４９と、各種スイッチが設けられたコントロールパネル５１が接続されている。制御装置Ｃの出力側には、圧縮機２７、凝縮器用送風機２６、図示しない冷気循環用送風機、電気ヒータ４５及び、ドレン水警報装置（本実施例ではブザー）５２等が接続されている。
【００４６】
以上の構成により、圧縮機２７が運転されると圧縮機２７から吐出された高温高圧のガス冷媒は、凝縮器２５で放熱して凝縮し、図示しない減圧装置で減圧された後、冷却器４４に流入する。そして、当該冷却器４４にて冷媒は蒸発し、そのときに冷却作用を発揮する。
【００４７】
そして、冷気循環用送風機が運転されると、一面、他面の冷気吸込口３６、３７、及び一側面の冷気吸込口３８から冷気ダクト１９内に吸い込まれた空気は、そこで冷却器４４と熱交換して冷却される。ダクト部材１１内の冷気ダクト１９を上昇した冷気は、天壁３に至り、陳列室８の一面開口４、他面開口６及び側面開口７の上縁にそれぞれ開口形成された冷気吐出口３２、３３、３４より各開口４、６、７に向けて吐出される。そして、冷気は各開口４、６、７にエアーカーテンを構成した後、一面、他面の冷気吸込口３６、３７及び側面の冷気吸込口３８から再び冷気ダクト１９内に吸い込まれる循環を繰り返す。
【００４８】
また、上記冷却運転に伴い凝縮器用送風機２６が運転されると、一面側パネル２０に形成される吸気口２０Ａを介して機械室１０外の空気（外気）が機械室１０内に吸引される。吸気口２０Ａから吸い込まれた空気は、圧縮機２７や凝縮器２５を冷却した後、その下流側に配設されるドレン水蒸発装置２８を通過した後、機械室１０の他面に設けられるパネル２１の排気口２１Ａより外部に排出される。
【００４９】
係る冷却運転によって、冷却器４４には着霜が生じるが、冷却器４４は定期的に除霜が行われる。この除霜時に生じた除霜水や陳列室８から落下したドレン水は、断熱壁２の底面２Ａ上に滴下し、当該底面２Ａに形成された排水口を介して機械室１０内に配設されるドレン水蒸発装置２８に排出される。
【００５０】
ここで、冷却器４４から排出されたドレン水は、先ず初めに、ドレン水蒸発装置２８の補助蒸発皿２９に一旦受容される。当該補助蒸発皿２９には、上述したようにドレン水が浸透して当該ドレン水の蒸散を促進する蒸発板３９が複数設けられているので、当該補助蒸発皿２９内に受容されたドレン水の蒸散処理を促進させることができる。
【００５１】
そして、この補助蒸発皿２９にて受容しきれなくなったドレン水は、上部側面に形成されたオーバーフローパイプ４０を介して蒸発皿３０に溢出する。これにより、蒸発皿３０内のドレン水が上記所定の低水位ＬＷＬまで貯留された場合、センサボックス５０に設けられた低水位センサ４８がドレン水の低水位を検出し、制御装置Ｃは、これに基づき、電気ヒータ４５に通電し発熱させる。これにより、当該蒸発皿３０に受容されたドレン水の蒸散処理を促進させることができる。
【００５２】
また、当該蒸発皿３０にもドレン水が浸透して当該ドレン水の蒸散を促進する蒸発板４１が複数設けられているので、当該蒸発皿３０内に受容されたドレン水の蒸散処理を促進させることができる。
【００５３】
上記電気ヒータ４５による加熱処理によっても更に、蒸発皿３０内のドレン水の水位が上昇し、所定の高水位ＨＷＬまで貯留された場合には、センサボックス５０に設けられた高水位センサ４９がドレン水の高水位を検出し、制御装置Ｃは、これに基づき警報装置５２による警報操作を動作させる。本実施例では、ブザーにより発報を行う。
【００５４】
使用者は、当該ブザーの発報により蒸発皿３０の排水動作を行う。即ち、蒸発皿３０に設けられた排水栓４６を開放して蒸発皿３０内のドレン水をドレン水タンク３１に排出させる。そして、ドレン水タンク３１を機械室１０から引き出して、ドレン水を外部に排水する。これにより、ドレン水の漏洩による浸水を未然に回避することができる。
【００５５】
ブザーの発報は、所定時間の鳴動、若しくは、コントロールパネル５１に設けられたスイッチによって停止させることができる。そのため、直ぐに上記排水動作を行うことができない場合や気づかなかった場合には、排水栓４６を開放するまで時間を要することとなる。
【００５６】
この場合、蒸発皿３０内のドレン水は、上記所定の高水位ＨＷＬよりも高い水位となり、当該位置にて上端４７Ａが開口したオーバーフローパイプ４７よりドレン水タンク３１に溢出させることができる。これにより、フェールセーフが実現される。
【００５７】
ここでは、警報装置５２の警報動作に基づいて排水動作を行うこととしているが、これに限定されるものではなく、例えば、設置された店舗等の繁忙時間の前に任意に排水栓４６を開放して、それまで蒸発皿３０内に受容されているドレン水を機械室１０内に抜き差し自在に取り付けられたドレン水タンク３１に排出し、外部に廃棄処理しても良い。
【００５８】
このような使用態様が可能となることで、蒸発皿３０内がドレン水を受容しきれなくなるまで待つことなく、当該蒸発皿３０内の殆どのドレン水を抜き差し自在なドレン水タンク３１に排出して、外部に廃棄処理を行うことができる。従って、蒸発皿３０のドレン水の貯留量にかかわらず、任意のタイミングで廃棄処理を行うことができ、利便性の向上を図ることができる。
【００５９】
特に、このような三面が開口して陳列室８が形成されるショーケース１は、開口面積が大きいため、夏場などでは、ドレン水の排出量が多くなる。従って、ドレン水の管理が煩雑化するが、このように、蒸発皿３０内のドレン水の廃棄タイミングが限定されないため、好適にドレン水の廃棄処理を実現でき、ドレン水の漏洩による設置床面への浸水を未然に回避することができる。
【００６０】
また、本実施例では、蒸発皿３０の前段には、補助蒸発皿２９が設けられているため、ドレン水蒸発装置２８全体のドレン水の蒸散処理能力を高めることができ、ドレン水の廃棄処理の回数を低減させることができる。
【００６１】
尚、上記実施例において蒸発皿３０内のドレン水をドレン水タンク３１に排水する排水栓４６は、手動のものを採用しているがこれに限定されるものではなく、制御装置Ｃによって開閉制御されるものを採用しても良い。この場合、コントロールパネル５１に設けられた排水栓開閉スイッチを操作することにより、当該排水栓４６を開閉制御可能とする。これにより、使用者が気づかないうちに当該排水栓４６が開放され、当該ドレン水タンク３１内からドレン水が外部に溢出してしまう不都合を回避することができる。
【符号の説明】
【００６２】
１    ショーケース（冷却装置）
２    断熱壁
３    天壁
４、６、７  開口
８    陳列室
１０    機械室
２０Ａ  吸気口
２１Ａ  排気口
２５    凝縮器
２６    凝縮器用送風機
２７    圧縮機
２８    ドレン水蒸発装置
２９    補助蒸発皿
３０    蒸発皿（主蒸発皿）
３１    ドレン水タンク
３１Ａ  開口
３１Ｂ  把手
３９    蒸発板
４０    オーバーフローパイプ
４１    蒸発板
４２    レール部材
４４    冷却器
４５    電気ヒータ（加熱装置）
４６    排水栓
４６Ａ  排水口
４７    オーバーフローパイプ
４８    低水位センサ（低水位検出手段）
４９    高水位センサ（高水位検出手段）
５０    センサボックス
５１    コントロールパネル
５２    ドレン水警報装置（ブザー）
【図１】
0005683879.tif 000002
【図２】
0005683879.tif 000003
【図３】
0005683879.tif 000004
【図４】
0005683879.tif 000005
【図５】
0005683879.tif 000006
【図６】
0005683879.tif 000007
【図７】
0005683879.tif 000008
【図８】
0005683879.tif 000009
【図９】
0005683879.tif 000010